(57)【特許請求の範囲】
【請求項１】
電子機器において、
第１筐体と、
情報を表示する表示画面を有する表示パネルを備え、該表示画面を露出した第２筐体と、
前記第２筐体を前記第１筐体に開閉自在に連結するヒンジ部材とを備え、
前記第２筐体が、背面と、該背面との間に間隔を空けて内側に突出した突起部を有する側壁とを有し、
前記ヒンジ部材が前記第１筐体に固定される第１固定部材と、前記第２筐体に固定される第２固定部材とを有し、
前記第２固定部材の一端は、前記背面と前記突起部との間の隙間に入り込んだ状態で、前記第２筐体に係合固定されており、
前記表示パネルは、該表示パネル背面が前記突起部の上に重なって配置されていることを特徴とする電子機器。
【請求項２】
前記表示パネルは、該表示パネル側面が前記側壁内面に接する状態で前記第２筐体に搭載されていることを特徴とする請求項１記載の電子機器。
【請求項３】
前記第２固定部材は、前記ヒンジ部材の回転軸線上の締結穴を有し、該締結穴を用いて前記第２筐体に締結されることを特徴とする請求項１又は２記載の電子機器。
【請求項４】
前記第２固定部材は、前記隙間に前記一端が入り込み他端側が前記第２筐体に締結されていることを特徴とする請求項１から３のうちいずれか１項記載の電子機器。
【請求項５】
前記第２固定部材は、前記一端から前記他端側に向かって前記表示パネルの背面側を通って板状に広がり該他端側が該表示パネルの下端面よりも下に延在し該表示パネルとの重なりを避けた位置で前記第２筐体に締結されていることを特徴とする請求項４記載の電子機器。
【請求項６】
前記第２固定部材は、前記他端側が、前記ヒンジ部材の回転軸を垂線とする向きに折れ曲がって前記第２筐体の厚み方向に立ち上がり、さらに再度、該第２筐体の背面と平行な向きに折れ曲がってネジ止め用の締結穴が形成されたものであり、
前記第２筐体が、前記締結穴に対応する部分に該第２筐体の背面から突出しネジ穴が形成されたボスを有し、
前記第２固定部材は、前記締結穴に挿入されて前記ネジ穴に螺入したネジ部材により、
前記第２筐体に締結されていることを特徴とする請求項４記載の電子機器。
【請求項７】
前記第２筐体は、前記表示画面を露出する区画が形成され、前記第２固定部材の締結穴を有する枠状部材を有し、
前記第２筐体が、前記締結穴に対応する部分に該第２筐体の背面から突出しネジ穴が形成されたボスを有し、
前記第２固定部材は、前記枠状部材の締結穴を介して前記第２固定部材の締結穴に挿入されて前記ネジ穴に螺入したネジ部材により、前記第２筐体に締結されていることを特徴とする請求項３記載の電子機器。
【請求項８】
前記第２筐体が導電性材料で形成され、
当該電子機器がさらに、一端が前記表示パネルに接し他端側が前記第２固定部材とともに前記第２筐体に締結されている接地部材を有することを特徴とする請求項１から７のうちのいずれか１項記載の電子機器。
【請求項９】
前記第１筐体が、演算処理を行なう演算回路を内蔵し操作に応じた指示を入力するキーボードを上面に備えたものであることを特徴とする請求項１から８のうちのいずれか１項記載の電子機器。
【発明の詳細な説明】
【技術分野】
【０００１】
本発明は、ヒンジ部材で開閉自在に連結された２つの筐体を備えた電子機器に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードを備えた本体ユニットである第１筐体と、表示パネルを備え第１筐体にヒンジ部材で開閉自在に連結された表示ユニットである第２筐体とを有し、使用時には第１筐体に対し第２筐体を立てた位置に開き、不使用時には第２筐体が第１筐体上に重なるよう折り畳んでおく、いわゆるノート型パーソナルコンピュータ（以下、ノートＰＣと略記する）が広く知られている。
【０００３】
ここで、このノートＰＣは、できるだけ小さいサイズの中にできるだけ大サイズの画面を搭載することが要請されており、これを実施するために、特に左右方向について、第２筐体のぎりぎりの幅まで広がる表示パネルを搭載することが考えられている。
【０００４】
一方、第１筐体に対し第２筐体を開閉するにあたっては、第２筐体の、ヒンジ部材が取り付けられた下部に大きな負荷がかかるため、ヒンジ部材を第２筐体の側壁内面と表示パネル側面との間に延在させてネジ止めすることが行なわれている。
【０００５】
しかしながら、第２筐体の外形寸法をそのままにしてさらに大サイズの表示画面を搭載することを考えた場合、第２筐体の側壁内面と表示パネル側面との間に、ヒンジ部材を延在させてネジ止めするスペースすら確保できない状態となる。
【０００６】
特許文献１には、筐体内に大サイズの表示パネルを搭載するために、表示パネルの左右両側と上面中央部の３箇所でそれぞれ固定金具により筐体に固定する構造が示されている。
【０００７】
しかしながら、この特許文献１の構造は、表示パネルの左右両側と筐体側壁との間に固定金具が配置されており、その分、小サイズの表示パネルしか搭載できず、また、ヒンジ部材の工夫については示されていない。
【特許文献１】国際公開ＷＯ２００３／００９２６３号公報
【発明の開示】
【発明が解決しようとする課題】
【０００８】
本発明は、上記事情に鑑み、大サイズの表示パネルの搭載に好適なヒンジ部材を備えた電子機器を提供することを目的とする。
【課題を解決するための手段】
【０００９】
上記目的を達成する本発明の電子機器は、電子機器において、
第１筐体と、
情報を表示する表示画面を有する表示パネルを備え、表示画面を露出した第２筐体と、
第２筐体を第１筐体に開閉自在に連結するヒンジ部材とを備え、
上記第２筐体が、背面と、その背面との間に間隔を空けて内側に突出した突起部を有する側壁とを有し、
上記ヒンジ部材が第１筐体に固定される第１固定部材と、第２筐体に固定される第２固定部材とを有し、
上記第２固定部材の一端は、上記背面と上記突起部との間の隙間に入り込んだ状態で、第２筐体に係合固定されていることを特徴とする。
【００１０】
本発明の電子機器は、第２筐体に固定される第２固定部材が、上記のように一部を突起部に係合させて固定されているため、第２固定部材を表示パネルの側面に沿って長く延在させる必要はなく、大サイズの表示パネルの搭載に適している。
【００１１】
ここで、上記表示パネルは、その表示パネル背面が上記突起部の上に重なって配置されていてもよい。
【００１２】
こうすることにより、大サイズの表示パネルが搭載される。
【００１３】
また、上記表示パネルは、その表示パネル側面が側壁内面に接する状態で第２筐体に搭載されていてもよい。
【００１４】
本発明によれば、ヒンジ部材の固定とは無関係に表示パネルの横幅を第２筐体の側壁内面に接するまで広げることができる。
【００１５】
また、上記第２固定部材は、上記ヒンジ部材の回転軸線上の締結穴を有し、該締結穴を用いて上記第２筐体に締結されることが好ましい。
【００１６】
さらに、本発明の電子機器において、上記第２固定部材は、上記隙間に上記一端が入り込み他端側が第２筐体に締結されていることが好ましい。
【００１７】
一端が隙間に入り込んで突起部と係合し、他端側が締結されることで、第２固定部材が安定的に固定される。
【００１８】
この場合に、上記第２固定部材は、上記一端から他端側に向かって表示パネルの背面側を通って板状に広がり他端側が表示パネルの下端面よりも下に延在し表示パネルとの重なりを避けた位置で第２筐体に締結されていることが好ましい。
【００１９】
第２固定部材は、表示パネルと重なる部分が板状に形成されることで薄型化が実現されるとともに、開閉時に第２筐体にかかる負荷を広い面積で分散して受けとめることができ、また、表示パネルとの重なりを避けた位置で固定することにより強固な固定が可能となる。
【００２０】
さらにこの場合に、上記第２固定部材は、上記他端側が、ヒンジ部材の回転軸を垂線とする向きに折れ曲がって第２筐体の厚み方向に立ち上がり、さらに再度、第２筐体の背面と平行な向きに折れ曲がってネジ止め用の締結穴が形成されたものであり、
上記第２筐体が、上記締結穴に対応する部分に第２筐体の背面から突出しネジ穴が形成されたボスを有し、
上記第２固定部材は、上記締結穴に挿入されて上記ネジ穴に螺入したネジ部材により、
第２筐体に締結されていることが好ましい。
【００２１】
上記のように、ヒンジ部材の回転軸を垂線とする向きに折れ曲がっていることで、回転軸と平行な向きに折り曲げられている場合と比べ、第２筐体の開閉時にかかる負荷に対し一層強固となる。
【００２２】
また、上記第２筐体は、上記表示画面を露出する区画が形成され、上記第２固定部材の締結穴を有する枠状部材を有し、
上記第２筐体が、上記締結穴に対応する部分に該第２筐体の背面から突出しネジ穴が形成されたボスを有し、
上記第２固定部材は、上記枠状部材の締結穴を介して上記第２固定部材の締結穴に挿入されて上記ネジ穴に螺入したネジ部材により、上記第２筐体に締結されるよう構成していもよい。
【００２３】
さらに、上記本発明の電子機器において、第２筐体が導電性材料で形成され、当該電子機器がさらに、一端が表示パネルに接し他端側が上記第２固定部材とともに第２筐体に締結されている接地部材を有することが好ましい。
【００２４】
この場合、ヒンジ部材の締結部をそのまま使って表示パネルも接地され、静電気の発生が抑えられる。
【００２５】
さらに、本発明の電子機器において、上記第１筐体が、演算処理を行なう演算回路を内蔵し操作に応じた指示を入力するキーボードを上面に備えたものであってもよい。
【００２６】
本発明は、携帯型電子機器であるノートＰＣに好適に適用することができる。
【発明の効果】
【００２７】
以上説明した本発明によれば、大サイズの表示パネルの搭載に好適なヒンジ部材を備えた電子機器を提供することができる。
【発明を実施するための最良の形態】
【００２８】
以下、本発明の実施形態について説明する。
【００２９】
図１は、本発明の電子機器の一実施形態としてのノートＰＣの開状態の外観を示した斜視図である。
【００３０】
図１に示すノートＰＣ１００は、第１筐体１１０と、第２筐体１２０と、第２筐体１２０を、第１筐体１１０に、図１に示す矢印Ａ−Ａの方向に開閉自在に連結するヒンジ部材１３０Ａ，１３０Ｂを備えている。
【００３１】
第１筐体１１０には、プログラムを実行することにより演算処理を行なうＣＰＵやプログラムを格納しておくハードディスクユニット、プログラムが展開されるメモリ等が内蔵されており、第１筐体１１０の上面には、操作に応じた指示を入力するキーボード１１１や、指先でなぞることにより表示画面１２１ａ（後述する）上のカーソルを移動させ、ボタン操作によりそのカーソルの現在位置にあるアイコン等を指定するためのトラックパッド１１２などが配置されている。その他、この第１筐体１１０の側面にも、ＡＣアダプタ（図示せず）から供給される電力を受ける電力供給口１１３やその他の複数の設備が配置されているが、それらはノートＰＣとしての一般的な構成要素であり、ここでは説明は省略する。
【００３２】
また、第２筐体１１０は、情報を表示する表示画面１２１ａを有する表示パネルが、表示画面１２１ａの前面が露出した状態で搭載している。
【００３３】
図２は、図１に示すノートＰＣの、閉状態の外観を示す斜視図である。
【００３４】
第２筐体１２０は、第１筐体１１０上に、表示画面１２１ａ（図１参照）を第１筐体１１０側に向けて図２に示すように閉じられ、使用時には、図１に示すように開いて使用される。このノートＰＣ１００は、第２筐体１２０が第１筐体１１０上に閉じられた状態にすることで携帯移動が容易となる。
【００３５】
図３は、表示パネルを搭載していた第２筐体から表示パネルを取り外して第２筐体の背面の内側を示した図である。
【００３６】
ここには、左右２つのヒンジ部材１３０Ａ，１３０Ｂや配線などがあらわれている。以下では、本実施形態の特徴であるヒンジ部材１３０Ａ，１３０Ｂの形状や、第２筐体１２０の、そのヒンジ部材に関連する構造について説明する。
【００３７】
図４は、図３の右側のヒンジ部材の部分の拡大図である。
【００３８】
この図４には、第２筐体１２０の、ヒンジ部材１３０Ａの周囲の部分を覆う前面カバー（図示せず）は取り外され、表示パネル１２１は搭載されたままの状態が示されている。この前面カバーは、表示画面１２１ａを露出する区画が形成された枠状部材である。第２筐体１２０は、この前面カバーと背面カバーにより構成され、これらカバーにより表示パネル１２１をその内部に収容するものである。
【００３９】
第２筐体１２０には、ネジ穴１２２ａが形成されたボスが立設しており、ヒンジ部材１３０Ａには、そのネジ穴１２２ａと連通する位置に、締結穴１３２ａが形成されており、ヒンジ部材１３０Ａは、１つには、その締結穴１３２ａを通るネジ部材によりネジ穴１２２ａにネジ止めされるが、このネジ穴１２２ａは、取り外した前面カバーもネジ穴１２２ａと連通する位置に設けられたカバーの締結穴（図示せず）により一緒にネジ止めするためのものであり、ここでは、前面カバーを取り外す際にネジ部材も取り外され、ここでは、ネジ穴１２２ａが表われている。このヒンジ部材１３０Ａのもう１ヵ所のネジ止め部は、前面カバーとは無関係に第２筐体１２０にネジ止めされており、したがって、ここでは、ネジ部材１４１があらわれている。
【００４０】
また、表示パネル１２１は、その側面１２１ｂが第２筐体１２０の側壁１２０ａの内面に接する位置まで広がっており、この第２筐体１２０の横幅に対し横幅がぎりぎり広い表示パネルが搭載されている。
【００４１】
図５は、図４と同じく、図３の右側のヒンジ部材の部分の拡大図である。ただし、この図５では、表示パネルも取り外されている。
【００４２】
さらに図６は、図５の状態からさらに第１筐体を取り外した状態を示した斜視図、図７は、さらに、第２筐体からヒンジ部材を取り外して、第２筐体の、ヒンジ部材が取り付けられている部分とヒンジ部材と並べて示した図である。
【００４３】
このヒンジ部材１３０Ａは、第１筐体に固定される第１固定部材１３１と第２筐体に固定される第２固定部材１３２とを有し、それら第１固定部材１３１と第２固定部材１３２との間が、フリクションを伴いながら、第２固定部材１３２に設けられた２つの締結穴１３２ａ、１３２ｂを結ぶ方向に延びる回転軸のまわりに回転するように構成されている。第２筐体１２０には、その背面から、ネジ穴１２２ａ，１２２ｂが形成された２つのボスが立設しており、このヒンジ部材１３０Ａが第２筐体１２０にネジ止めされた状態では、ヒンジ部材１３０Ａの回転軸は、それら２つのネジ穴１２２ａ，１２２ｂを結ぶ直線上に位置する。
【００４４】
ここで、図５，図６に示すように、第２筐体１２０の横壁１２０ａには、内側に向かって突出した突起部１２０ｂが形成されている。この突起部１２０ｂは、第２筐体１２０の背面との間に、このヒンジ部材１３０Ａを構成する、第２筐体１２０に固定される第２固定部材１３２の板状に広がった一端が入り込むだけの隙間を空けて突出しており、その第２固定部材１３２の、板状に広がった一端が入り込んで係合固定されている。
【００４５】
図４と図５とを比較すると分かるように、表示パネル１２１は、その表示パネル背面がその突起部１２０ｂの上、および第２固定部材１３２の板状に広がった部分の上に重なって配置されている。
【００４６】
ヒンジ部材１３０Ａを構成する第２固定部材１３２は、板状に形成された部分の一端が突起部１２０ｂの下に入り込んで突起部１２０ｂと係合し、他端側に向かって表示パネル１２１の背面側を通って板状に広がり、他端側が表示パネル１２１の下端面１２１ｃよりも下に延在し、表示パネル１２１との重なりを避けた位置で、ネジ部材１４１により第２筐体に締結されている。
【００４７】
この第２固定部材１３２は、表示パネル１２０の下端面１２１ｃよりも下に延在した部分が、ヒンジ部材１３０Ａの回転軸を垂直とする向きに折れ曲がって第２筐体１２０の厚み方向に立ち上がり、さらに再度、第２筐体１２０の背面と平行な向きに折れ曲がってその部分にネジ止め用の締結穴１３２ｂが形成されている。
【００４８】
上述したように、第２筐体は、この締結穴１３２ｂに対応する部分にも、第２筐体１２１の背面から突出しネジ穴１２２ｂが形成されたボスを有し、この第２固定部材は、この締結穴１３２ｂに挿入されてネジ穴１２２ｂに螺入したネジ部材１４１（図４参照）によっても固定されている。
【００４９】
第２筐体１２０の開閉にあたり、ヒンジ部材１３０Ａの回転軸のまわりに大きな負荷がかかるが、第２固定部材１３２は、回転軸と垂直となる方向に曲げられていることから、この負荷に対し一層強固な構造となっている。
【００５０】
また、図６等に示されているように、図４等に示す表示パネル１２１の背面に接しその表示パネル１２１を接地する接地部材１５１が備えられている。この接地部材１５１は、一端に、表示パネル１２１の背面に弾性的に抵触する接触片１５１ａが形成されており、溶着部１５１ｂで、第２筐体１２０に溶着されている。この接地部材１５１はさらに、その他端側が第２筐体に立設したボスの上に乗る形状に折り曲げられて締結穴１５１ｃ（図７参照）が形成され、ネジ穴１２２ｂに螺入するネジ部材により、ヒンジ部材１３０Ａの第２固定部材１３２とともにネジ止めされる。
【００５１】
ここで、この第２筐体１２０は、導電材料の１種であるマグネシウム合金製であり、そのネジ止めにより、表示パネル１２１がヒンジ部材１３０Ａとともに第２筐体１２０に接地され、静電気発生防止が図られている。
【００５２】
図８，図９は、図３に示すもう一方のヒンジ部材１３０Ｂの部分の拡大図であり、図８は、表示パネルが搭載されている状態を示し、図９は、表示パネルを取り外した状態を示している。
【００５３】
このヒンジ部材１３０Ｂは、これまで説明してきたもう一方のヒンジ部材１３０Ａと比べ、左右が反転した構造を有している。また、第２筐体１２０や表示パネル１２１のヒンジ部材１３０Ｂの周辺の構造も、左右が反転している点を除き、もう一方のヒンジ部材１３０Ａの周辺の構造と同一である。このヒンジ部材１３１Ｂの回転軸は、もう一方のヒンジ部材１３１Ａの回転軸と一致するように構成されている。
【００５４】
左右が反転している点以外の見かけ上の相違点としては、ヒンジ部材１３０Ｂの中を、第１筐体１１０と第２筐体１２０との間に跨って、配線１６０が延びている点である。
【００５５】
これらの配線１６０は、ヒンジ部材１３０Ｂの中を通ることによって、開閉時に無理な力が加わることが回避され、断線等の不良の発生が防止されている。
【図面の簡単な説明】
【００５６】
【図１】本発明の電子機器の一実施形態としてのノートＰＣの開状態の外観を示した斜視図である。
【図２】図１に示すノートＰＣの、閉状態の外観を示す斜視図である。
【図３】第２筐体から表示パネルを取り外して第２筐体の背面の内側を示した図である。
【図４】図３の右側のヒンジ部材の部分の拡大図である。
【図５】図３の右側のヒンジ部材の部分の拡大図である。
【図６】図５の状態からさらに第１筐体を取り外した状態を示した斜視図である。
【図７】第２筐体からヒンジ部材を取り外して第２筐体の、ヒンジ部材が取り付けられていた部分とヒンジ部材と並べて示した図である。
【図８】図３に示すもう一方のヒンジ部材の部分の拡大図であり、表示パネルが搭載されている状態を示している。
【図９】図３に示すもう一方のヒンジ部材の部分の拡大図であり、表示パネルを取り外した状態を示している。
【符号の説明】
【００５７】
１００    ノートＰＣ
１１０    第１筐体
１１１          キーボード
１１２    トラックパッド
１１３    電力供給口
１２０    第２筐体
１２０ａ    横壁
１２０ｂ    突起部
１２１    表示パネル
１２１ａ    表示画面
１２１ｂ    側面
１２１ｃ    下端面
１２２ａ，１２２ｂ    ネジ穴
１３０Ａ，１３０Ｂ    ヒンジ部材
１３１    第１固定部材
１３２    第２固定部材
１３２ａ，１３２ｂ    締結穴
１３３ａ    締結穴
１４１    ネジ部材
１５１    接地部材
１５１ａ    接触片
１５１ｂ    溶着部
１５１ｃ    締結穴
１６０    配線
【図１】
0005040532.tif 000002
【図２】
0005040532.tif 000003
【図３】
0005040532.tif 000004
【図４】
0005040532.tif 000005
【図５】
0005040532.tif 000006
【図６】
0005040532.tif 000007
【図７】
0005040532.tif 000008
【図８】
0005040532.tif 000009
【図９】
0005040532.tif 000010